(57)【要約】【課題】個人所有の空き地等を駐車場として貸し出す場合には、例えば、庭の植木等、或いは駐車場の備品等が破損される恐れがあり、駐車場として提供し難い場合がある。【解決手段】駐車場を提供する提供者から駐車場所在地、駐車場提供時間を登録する時に、提供する駐車場の整備作業の依頼の有無を合わせて駐車場提供情報を登録する。この登録情報の中から駐車場の利用を希望する利用希望者からの駐車場利用情報に基づいて条件に合致する駐車場を検索し、且つ、駐車場提供情報の整備作業の依頼の有無を確認し、整備作業依頼が有りの時は利用希望者が当該駐車場を利用する前後に駐車場の整備を行う。【選択図】        図２
2004259139.tif 000002
【特許請求の範囲】
【請求項１】
駐車場を提供する提供者からの駐車場所在地、駐車場提供時間、提供する駐車場の整備作業の依頼の有無を含む駐車場提供情報を登録し、この登録情報の中から駐車場の利用を希望する利用希望者からの希望所在地、利用時間情報を含む駐車場利用情報に基づいて条件に合致する駐車場を検索し、この検索結果に基づいて条件に合う駐車場を利用希望者に通知すると共に、前記駐車場提供情報に含まれている整備作業の依頼の有無を確認し、整備作業依頼が有りの場合には、利用希望者が当該駐車場を利用する前後に駐車場の整備を行うように手配することを特徴とするアクティブパーキング方法。
【請求項２】
駐車場を提供する提供者からの駐車場所在地、提供時間情報を含む駐車場提供情報を登録し、この登録情報の中から駐車場の利用を希望する利用希望者からの希望所在地、利用時間情報を含む駐車場利用情報に基づいて条件に合致する駐車場を検索し、この検索結果に基づいて条件に合う駐車場候補を利用希望者の指定場所から距離別にリスト化して通知することを特徴とするアクティブパーキング方法。
【請求項３】
前記駐車場提供者及び駐車場利用者は、予め会員としてそれぞれ登録されていることを特徴とする請求項１、２に記載のアクティブパーキング方法。
【請求項４】
前記駐車場利用者に条件に合う駐車場情報を通知する場合には、駐車場までの地図情報を併せて通知することを特徴とする請求項１〜３に記載のアクティブパーキング方法。
【請求項５】
駐車場を提供する提供者からの駐車場所在地、駐車場提供時間、提供する駐車場の整備作業の依頼の有無を含む駐車場提供情報を登録する手段と、この登録情報の中から駐車場の利用を希望する利用希望者からの希望所在地、利用時間情報を含む駐車場利用情報に基づいて条件に合致する駐車場を検索する手段と、この検索結果に基づいて条件に合う駐車場を利用希望者に通知する手段と、前記駐車場提供情報に含まれている整備作業の依頼の有無を確認し、整備作業依頼が有りの場合には、利用希望者が当該駐車場を利用する前後に駐車場の整備を行うように手配する手段とを備えたことを特徴とするアクティブパーキングシステム。
【請求項６】
駐車場を提供する提供者からの駐車場所在地、提供時間情報を含む駐車場提供情報を登録する手段と、この登録情報の中から駐車場の利用を希望する利用希望者からの希望所在地、利用時間情報を含む駐車場利用情報に基づいて条件に合致する駐車場を検索し、この検索結果に基づいて条件に合う駐車場候補を利用希望者の指定場所から距離別にリスト化する手段と、前記リスト化された駐車場候補を利用希望者に通知する手段とを備えたことを特徴とするアクティブパーキングシステム。
【発明の詳細な説明】
【０００１】
【発明の属する技術分野】
本発明は、駐車場を運用管理するパーキング方法及びシステムに関し、特に、個人等の駐車スペースを希望する時間に商用目的の有料駐車場として希望者に提供することで、駐車場不足を柔軟に解決するアクティブパーキング方法及びシステムに関するものである。
【０００２】
【従来の技術】
従来、特に都市部において駐車場問題は深刻且つ慢性的な問題である。狭い土地、多い車、集中する人口、それに伴う違法駐車・迷惑駐車、これらは今後とも完全に解決することは困難である。これは、何が問題であるか、わかりきっているが駐車場の数が少ないのである。
【０００３】
このような駐車場不足を解決する方法として、例えば、特開２００２−１７５３７４、特開２００２−２６００２７、特開２００２−２６００２９、特開２００２−２９７８０１、特開２００２−２９８１７５に提案されているように種々の方法が知られている。
【０００４】
特開２００２−１７５３７４で提案された方法は、駐車場供給者がインターネットを通して自己の都合に合わせたスケジュールで駐車場を提供し、駐車場利用者がこの中から希望条件に合う駐車場を検索し、予約するという管理方法である（特許文献１参照）。
【０００５】
特開２００２−２６００２７の方法は、契約駐車場における契約車両の出庫後に生じる空きスペースを一般車両の駐車希望者に貸し出す方法である。同公報では、駐車希望者による空きスペースへの駐車申し込みの受付及び駐車希望者への駐車終了時間の通知を携帯電話で行い、駐車料金の徴収を希望者が契約する電話会社に委託して行う（特許文献２参照）。
【０００６】
特開２００２−２６００２９で提案された方法は、ネットワーク上で個人駐車場又は月極駐車場等の駐車場所有者を募集し、駐車場の位置や空き時間帯を公開することで、駐車場の使用者を募集するという駐車場利用方法である（特許文献３参照）。
【０００７】
特開２００２−２９７８０１で提案された方法は、駐車場の位置情報を含む駐車場情報を登録し、駐車場の予約情報を受け付け、且つ、駐車場の貸与が可能な貸与時間情報を受け付け、受け付けた予約情報、貸与時間情報、並びに登録された駐車場情報に基づいて貸与の案内情報を借り手側に通知するという方法である（特許文献４参照）。
【０００８】
特開２００２−２９８１７５で提案された方法は、ユーザ端末から事業者サーバに対し駐車場予約を送信し、事業者サーバは駐車場情報からスペースのある駐車場を選択し予約手続を行ってユーザに駐車場を通知する。そして、事業者サーバは駐車場までの経路をユーザ端末に送信してユーザを駐車場まで誘導し、且つ、必要料金を自動引き落とし、通信事業者から関係者に支払うという方法である（特許文献５参照）。
【０００９】
【特許文献１】
特開２００２−１７５３７４（段落００１２、図１）
【特許文献２】
特開２００２−２６００２７（段落０００８〜００１２、図１、図３）
【特許文献３】
特開２００２−２６００２９（段落０００７〜００１１、図１、図２）
【特許文献４】
特開２００２−２９７８０１（段落００４６〜００４９、図２１〜図２３）
【特許文献５】
特開２００２−２９８１７５（段落００６０〜００６６、図１、図２）
【００１０】
【発明が解決しようとする課題】
上記公報には、個人等が所有する駐車場の空きスペースを利用希望者に提供することに関しては記載されているが、個人所有の空き地等を駐車場として全く知らない人に貸し出すのであるから、駐車場の提供者側からみればそれなりの不安がある。また、例えば、個人所有の庭の一部等を駐車場として貸し出す場合には、植木等の貸し手所有物が破損される恐れがあり、更に、駐車場の空きスペースを貸し出すとしても、やはり、備品等が破損される等の恐れがあり、駐車場として提供し難い場合があった。
【００１１】
本発明は、上記従来の問題点に鑑みなされたもので、その目的は、駐車場の整備作業の依頼を受け付け、提供者から駐車場の貸し出しを促進することにより、慢性的に存在する駐車場不足に柔軟に対応可能なアクティブパーキング方法及びシステムを提供することにある。
【００１２】
【課題を解決するための手段】
本発明のアクティブパーキング方法は、上記目的を達成するため、駐車場を提供する提供者からの駐車場所在地、駐車場提供時間、提供する駐車場の整備作業の依頼の有無を含む駐車場提供情報を登録し、この登録情報の中から駐車場の利用を希望する利用希望者からの希望所在地、利用時間情報を含む駐車場利用情報に基づいて条件に合致する駐車場を検索し、この検索結果に基づいて条件に合う駐車場を利用希望者に通知すると共に、前記駐車場提供情報に含まれている整備作業の依頼の有無を確認し、整備作業依頼が有りの場合には、利用希望者が当該駐車場を利用する前後に駐車場の整備を行うように手配することを特徴とする。
【００１３】
また、本発明のアクティブパーキング方法は、駐車場を提供する提供者からの駐車場所在地、提供時間情報を含む駐車場提供情報を登録し、この登録情報の中から駐車場の利用を希望する利用希望者からの希望所在地、利用時間情報を含む駐車場利用情報に基づいて条件に合致する駐車場を検索し、この検索結果に基づいて条件に合う駐車場候補を利用希望者の指定場所から距離別にリスト化して通知することを特徴とする。
【００１４】
また、本発明のアクティブパーキングシステムは、駐車場を提供する提供者からの駐車場所在地、駐車場提供時間、提供する駐車場の整備作業の依頼の有無を含む駐車場提供情報を登録する手段と、この登録情報の中から駐車場の利用を希望する利用希望者からの希望所在地、利用時間情報を含む駐車場利用情報に基づいて条件に合致する駐車場を検索する手段と、この検索結果に基づいて条件に合う駐車場を利用希望者に通知する手段と、前記駐車場提供情報に含まれている整備作業の依頼の有無を確認し、整備作業依頼が有りの場合には、利用希望者が当該駐車場を利用する前後に駐車場の整備を行うように手配する手段とを備えたことを特徴とする。
【００１５】
また、本発明のアクティブパーキングシステムは、駐車場を提供する提供者からの駐車場所在地、提供時間情報を含む駐車場提供情報を登録する手段と、この登録情報の中から駐車場の利用を希望する利用希望者からの希望所在地、利用時間情報を含む駐車場利用情報に基づいて条件に合致する駐車場を検索し、この検索結果に基づいて条件に合う駐車場候補を利用希望者の指定場所から距離別にリスト化する手段と、前記リスト化された駐車場候補を利用希望者に通知する手段とを備えたことを特徴とする。
【００１６】
【発明の実施の形態】
次に、本発明の実施の形態について図面を参照して詳細に説明する。図１は本発明の一実施形態を示す概念図である。図１において、Ａは駐車場利用者が使用する駐車場利用ユーザ端末、Ｂは駐車場提供者が使用する駐車場提供ユーザ端末、Ｃはこれらのユーザ端末Ａ、Ｂによって登録された情報を管理する登録情報管理システムである。ユーザ端末Ａ、ユーザ端末Ｂ、登録管理情報システムＣはインターネットＷで接続されている。
【００１７】
登録情報管理システムＣはユーザ情報データベースＤ、提供情報データベースＥ、地図データベースＦ、会計管理システムＧ、整備業者管理サーバＨと接続されている。なお、図１には、駐車場利用ユーザ端末Ａ、駐車場提供ユーザ端末Ｂを１つのみ示しているが、それぞれ会員登録された複数のユーザ端末Ａ、Ｂが接続されているものとする。
【００１８】
駐車場利用ユーザ端末Ａ、駐車場提供ユーザ端末Ｂはパソコンや携帯電話等の情報処理装置である。駐車場利用ユーザ端末ＡはインターネットＷを介して駐車場利用ユーザが駐車場を利用する希望日時等を照会するのに使用する端末、駐車場提供ユーザ端末ＢはインターネットＷを介して駐車場提供ユーザが提供希望時間等を登録する目的で使用する端末である。
【００１９】
登録情報管理システムＣはデータベースの情報を管理するシステムである。登録情報管理システムＣは駐車場提供ユーザ端末Ｂからの駐車場提供情報（住所・提供日時・利用可能車種・利用可能台数等）及び整備作業要求の有無（有りの場合は、駐車場環境の養生・整理・備品貸し出し／回収・使用後整備等のその作業内容）を受け付けて、提供情報データベースＥに登録する。
【００２０】
ここで、駐車場環境の養生・整理とは、駐車スペースの出入り口を保護すること、利用者が自動車を駐車場に乗り入れる場合等の破損されては困るものを保護すること、或いは駐車スペースまで自動車を誘導するためのカラーコーン、ロープ等を設置すること等をいう。これは、例えば、個人所有の庭の一部を駐車場として貸し出す場合に、駐車スペース以外のスペースに自動車が乗り入れられては困る場合に有効である。
【００２１】
また、登録情報管理システムＣは駐車場提供情報を提供情報データベースＥで管理すると同時に駐車場利用ユーザ端末Ａからの駐車場利用希望情報を受信し、地図データベースＦと連携させて提供情報データベースＥの駐車場提供者情報から利用希望者の条件を満たす情報を検索し、この検索結果に基づいて駐車場利用ユーザ端末Ａに駐車場情報を送信する。同時に、該当する駐車場提供ユーザ端末Ｂに利用者情報を送信する。
【００２２】
ユーザ情報データベースＤは駐車場利用者の情報を管理するデータベースである。ここでは、駐車場利用者は登録者のみの予約制としており、利用者の情報を管理システム側で把握することにより、セキュリティーの面で提供者に安心して駐車場を提供してもらえる環境とする。また、利用者が駐車場を利用する際には、駐車場提供者に利用者の個人・車両データを提示する。
【００２３】
提供情報データベースＥは、駐車場提供者の情報を管理するデータベースである。即ち、駐車場提供者の氏名・提供日時・住所・駐車場の広さ等の情報を登録し、利用者が照会を行った際には、日時や住所等の希望条件に合致する駐車場を検索する。同時に、提供者の氏名、駐車場までの道順等の情報も合わせて利用者に提示する。駐車場提供者に関しても会員制とする。
【００２４】
地図データベースＦには、全国の地図情報が格納されており、利用者が駐車場を照会し、条件に合致する駐車場が検索された場合には、駐車場までの地図情報を利用者に提供する。また、観光地情報・公共施設等の情報も同時に格納されており、明確な住所の指定だけでなく、最寄施設名等からの駐車場検索にも対応できるようにする。
【００２５】
会計管理システムＧは駐車場利用確定後に使用するシステムである。駐車場利用者の駐車場利用ユーザ端末Ａに対して利用時間・利用場所に応じて金額を算出し、支払い請求を送信する。また、駐車場提供者の駐車場提供ユーザ端末Ｂに対しては、提供された駐車場の場所・利用時間に応じてテナント料を算出し、その駐車場提供ユーザ端末Ｂに通知する。テナント料は積算した額を定期の決済日に精算する。
【００２６】
整備業者管理サーバＨは駐車場提供者が提供時に「整備有り」を選択した場合には、登録情報管理サーバＣから提供駐車場情報（提供日時・住所・利用可能車種・利用可能台数）及び整備作業内容が送られ、これを保持する。この情報に基づいて作業予定を立て、実際の作業を行うには、駐車場利用者が当該駐車場の利用を決定した時点で「利用決定」の通知と共に整備業者へ作業依頼を送信することで、整備作業を行う。
【００２７】
整備作業としては、前述のように駐車場の出入り口の保護、破損しては困るものの保護（破損し易いものの保護）、カラーコーン・ロープ等を用いて自動車を駐車スペースまで誘導すること等がある。また、事前作業が発生した場合には、必然的に回収等の作業が発生する。
【００２８】
次に、本実施形態の具体的な動作について説明する。図２は本実施形態のアクティブパーキングシステムの動作を示すフローチャート、図３〜図１１はその動作説明図である。
【００２９】
まず、駐車場の利用を希望する利用者の駐車場利用ユーザ端末Ａ、駐車場の提供を希望する提供者の駐車場提供ユーザ端末ＢからインターネットＷを介して登録情報管理システムＣにユーザ登録を行う（Ｓ１０１、Ｓ１０２）。即ち、図３に示すように駐車場利用ユーザ端末Ａから利用者の氏名、住所、電話番号等の情報、駐車場提供ユーザ端末Ｂから提供者の氏名、住所、電話番号、駐車場提供に対して費用を支払う場合に必要な金融機関名及び口座番号等の情報をそれぞれ登録する。このユーザ情報の登録の際には、予め決められた駐車場の利用、提供に関する会員規約をユーザに送信し、駐車場の利用者、提供者と管理者との間で契約を行う。
【００３０】
また、会員登録された利用者ユーザ、提供者ユーザ毎にＩＤを付与し、後述するように駐車場提供時或いは駐車場利用時には、このＩＤを用いてユーザ認証を行う。このステップでは利用側・提供側の用途は問わない。ユーザＩＤを含むユーザ登録情報はユーザ情報データベースＤで一元管理する。
【００３１】
ユーザ登録を完了すると、それらの利用ユーザ、提供ユーザは駐車場の利用、提供が可能となる。駐車場提供ユーザが駐車場を提供する場合には、図４に示すように駐車場提供ユーザ端末ＢからインターネットＷを介してユーザ登録時に付与されたユーザＩＤを送信し、ユーザ情報データベースＤに登録されている登録情報と照合することでユーザ認証を行う。ユーザ認証を完了すると、提供ユーザは駐車場提供ユーザ端末ＢからインターネットＷを介して登録情報管理システムＣに提供駐車場情報（提供日時・住所・利用可能車種・利用可能台数等）を送信する（Ｓ１０３）。
【００３２】
次いで、駐車場提供ユーザは駐車場提供ユーザ端末Ｂから前述のような駐車場提供前後の整備作業（駐車場環境の養生・整理・備品貸し出し／回収・使用後整備）の有無及びその作業内容情報を送信する。登録情報管理システムＣは受信した情報を提供情報データベースＥに格納する（Ｓ１０３）。また、登録情報管理システムＣは提供条件の整備作業の有無を判断し（Ｓ１０４）、整備作業に「有り」が選択されている場合には、同情報及び整備作業内容を整備業者管理サーバＨにも送信する（Ｓ１０５）。この駐車場提供情報は提供情報データベースＥで一元管理する（Ｓ１０６）。管理者と整備業者との間では、予め整備作業内容や費用等に関して契約しておく。
【００３３】
一方、駐車場利用ユーザが駐車場を利用する場合には、図５に示すように駐車場利用ユーザ端末ＡからインターネットＷを介して登録情報管理システムＣに駐車場利用希望日時、利用時間、住所（ランドマーク指定可）等を送信する（Ｓ１０７）。ここでいう住所とは、駐車を希望する所在地情報である。また、駐車場提供時と同様に駐車場利用ユーザＡから自己のユーザＩＤを送信し、登録情報管理システムＣはユーザ情報データベースＤの登録情報に基づいて駐車場利用ユーザの認証を行う。認証可を確認した後、提供情報データベースＥと地図データベースＦに対して駐車場利用ユーザからの希望条件に合致する駐車場を検索する（Ｓ１０８）。
【００３４】
次に、利用者の希望条件に合致する駐車場の検索を完了すると、登録情報管理システムＣは図６に示すように提供情報データベースＥと地図データベースＦの情報検索結果を駐車場利用ユーザ端末ＡにインターネットＷを介して通知する（Ｓ１０９）。この際、例えば、「指定場所から１キロ圏内」、「指定場所から３キロ圏内」、「指定場所から５キロ圏内」というようにそれぞれの圏内において利用者の希望条件に合う駐車場候補を利用者が指定した場所から距離別にリスト化して提示する。
【００３５】
このように駐車場候補を距離別に提示することで、利用希望者は駐車場の選択の幅が広がり、駐車場利用希望者へのサービスを向上できる。従来の技術の公報には、個人等が所有する駐車場の空きスペースを利用希望者に提供することに関しては記載されているが、駐車場候補を距離別に提示するというきめ細かいサービスに関しては言及されていない。
【００３６】
駐車場利用ユーザは図７に示すように登録情報管理システムＣから通知された駐車場情報を確認し、利用有無を判断する（Ｓ１１０）。また、駐車場を利用する場合には、駐車場利用ユーザ端末Ａ上に登録情報管理システムＣより提示された駐車場一覧から利用する駐車場を選択し、登録情報管理システムＣにインターネットＷを介して利用選択情報を送信する。提示された駐車場に利用する駐車場が無かった場合には、再度Ｓ１０７からの処理を行い、再度利用条件を入力して同様の処理を行う。
【００３７】
登録情報管理システムＣは、駐車場利用ユーザ端末Ａからの利用選択情報を受信すると、駐車場利用契約成立と判断し、図８に示すように駐車場提供ユーザ端末Ｂに利用希望者情報（Ｓ１０１において駐車場利用ユーザの認証済）を送信する。同時に、駐車場利用ユーザ端末Ａに選択した駐車場詳細情報を送信する。ユーザ端末Ａはその駐車場詳細情報を受信し（Ｓ１１１）、ユーザ端末Ｂはその利用者情報を受信する（Ｓ１１２）。
【００３８】
駐車場利用ユーザ端末Ａに送信する駐車場詳細情報は、  駐車場提供ユーザ情報（ユーザ情報データベースＤに登録されている提供者の氏名、住所等）、  駐車場情報（提供情報データベースＥに登録されている利用可能日時・場所等）、地図情報（利用駐車場までの地図）等である。
【００３９】
また、Ｓ１０４で利用駐車場が整備作業有りと判断した場合には、前述のようにＳ１１０で契約成立と判断した時点で登録情報管理システムＣから整備業者管理サーバＨに契約成立情報が送信される。整備業者サーバＨはその情報を受信すると（Ｓ１１３）、図９に示すように予め契約している整備業者に指示して駐車場利用前に作業員を利用する駐車場に派遣し、提供者からの整備依頼に基づいて整備作業（駐車場環境の養生・整理等）を行う（Ｓ１１４）。
【００４０】
このようにして駐車場の利用が可能となり、利用者は希望する駐車場を契約した時間に利用する（Ｓ１１５）。駐車場利用者の利用契約時間が終了すると、駐車場の利用場所、利用日時、スペース情報（何台分かを示す情報）等を含む契約情報が登録情報管理システムＣから会計管理システムＧに通知され、利用記録として記録される（Ｓ１１６）。
【００４１】
また、会計管理システムＧは駐車場利用後に図１０に示すように駐車場の利用時間・利用場所等に応じて利用金額を算出し、該当する駐車場利用ユーザ端末Ａに算出した利用金額の支払い請求を行う（Ｓ１１７）。利用者の利用料金の支払いは、その都度支払っても良いし、予め決められた月々の指定日までにその月分の請求額をまとめて支払っても良い。利用者からの支払いは、管理者の指定口座に振り込むことで行う。
【００４２】
更に、会計管理システムＧは図１１に示すように駐車場提供者に対して提供場所・提供時間に応じてテナント料を算出し、該当する駐車場ユーザ端末Ｂにテナント料を通知する。会計管理システムＧは、例えば、月末等の駐車場提供ユーザと予め契約してある決済日になると、テナント料の積算額の精算処理を行う（Ｓ１１８）。この決済は管理者から予め登録されている提供者の指定口座に振り込むことで行う。
【００４３】
一方、駐車場の利用を終了すると、整備業者管理サーバＨは整備業者に駐車場の事後整備作業を依頼し（Ｓ１１９）、駐車場の整備を行う（駐車場整備依頼があった場合のみ）。また、整備作業管理サーバＨに整備作業の作業内容が記録され（Ｓ１２０）、会計管理システムＧは予め決められた決済日になると、図１１に示すように整備作業管理サーバＨの作業記録を参照し、予め契約で決められている契約に基づいて作業内容に応じた整備作業費用を算出し、算出した費用を整備業者に支払う（Ｓ１１８）。この支払いも予め登録されている整備業者の指定口座に振り込むことで行う。
【００４４】
【発明の効果】
以上説明したように本発明によれば、駐車場提供者から駐車場の整備依頼を受け付け、整備依頼があった場合には、駐車場の利用前後に駐車場の整備を行うことにより、駐車場提供者は安心して駐車場を提供できるようになるため、駐車場の供給を促進することができ、駐車場不足の解消に役立つ。また、駐車条利用希望者に指定された場所から距離別に駐車場候補を通知することにより、利用希望者は駐車場の選択の幅が広がるため、駐車場利用希望者へのサービスを向上することができる。
【図面の簡単な説明】
【図１】本発明によるアクティブパーキングシステムの一実施形態の構成を示すブロック図である。
【図２】図１の実施形態の動作を示すフローチャートである。
【図３】図２のユーザ登録動作を説明する図である。
【図４】提供者の駐車場提供動作を説明する図である。
【図５】駐車場利用者が利用条件を送信して希望駐車場を検索する場合の動作を説明する図である。
【図６】利用条件に基づく検索結果を送信する動作を説明する図である。
【図７】検索結果に基づく駐車場選択動作を説明する図である。
【図８】駐車場利用者に駐車場詳細情報を送信、駐車場提供者に利用者情報を送信する動作を説明する図である。
【図９】整備業者に整備作業を依頼する動作を説明する図である。
【図１０】会計管理システムが利用者に支払い請求する動作を説明する図である。
【図１１】駐車場提供者及び整備業者への決済を示す説明図である。
【符号の説明】
Ａ  駐車場利用ユーザ端末
Ｂ  駐車場提供ユーザ端末
Ｃ  登録情報管理システム
Ｄ  ユーザ情報データベース
Ｅ  提供情報データベース
Ｆ  地図データベース
Ｇ  会計管理システム
Ｈ  整備業者管理サーバ
Ｗ  インターネット
【図１】
2004259139.tif 000003
【図２】
2004259139.tif 000004
【図３】
2004259139.tif 000005
【図４】
2004259139.tif 000006
【図５】
2004259139.tif 000007
【図６】
2004259139.tif 000008
【図７】
2004259139.tif 000009
【図８】
2004259139.tif 000010
【図９】
2004259139.tif 000011
【図１０】
2004259139.tif 000012
【図１１】
2004259139.tif 000013